(57)【特許請求の範囲】
【請求項１】
電気弦楽器のボディに装着可能に設けられるとともに、弦の振動を電気信号に変換するピックアップ装置において、
前記ボディの表面には、所定の電装部品に接続され、且つ、帯磁可能な一対の被着体が設けられ、
前記弦の近傍に設けられた磁石と、当該磁石に巻き付けたコイルと、このコイルの端部に通電可能に接続され、且つ、帯磁可能な一対の磁着体とを備え、
前記一対の磁着体は、前記一対の被着体に磁着且つ通電可能に設けられ、
前記一対の被着体がなす左右幅は前記一対の磁着体がなす左右幅よりも大きいこと、および、前記一対の被着体がなす前後幅は前記一対の磁着体がなす前後幅よりも大きいことの少なくともどちらか一方を特徴とするピックアップ装置。
【請求項２】
電気弦楽器のボディに取り付け可能に設けられるとともに、弦の振動を電気信号に変換するピックアップ装置において、
前記ボディの表面には、所定の電装部品に接続され、且つ、帯磁可能な一対の被着体が設けられ、
前記弦の近傍に設けられた２つの磁石と、当該磁石に巻き付けたコイルとを備え、当該コイルの端部が前記２つの磁石に通電可能に接続され、
前記２つの磁石は、前記被着体に磁着及び通電可能に設けられ、
前記一対の被着体がなす左右幅は前記２つの磁石がなす左右幅よりも大きいこと、および、前記一対の被着体がなす前後幅は前記２つの磁石がなす前後幅よりも大きいことの少なくともどちらか一方を特徴とするピックアップ装置。
【請求項３】
前記被着体は、板状に形成されていることを特徴とする請求項１又は２記載のピックアップ装置。
【請求項４】
請求項１、２又は３記載のピックアップ装置と、ボディの表面に設けられて所定の電装部品に接続され、且つ、帯磁可能な被着体とを備えていることを特徴とする電気弦楽器。
【発明の詳細な説明】
【技術分野】
【０００１】
本発明は、ピックアップ装置及びこれを用いた電気弦楽器に係り、更に詳しくは、電気弦楽器のボディに容易に着脱することができるピックアップ装置及びこれを用いた電気弦楽器に関する。
【背景技術】
【０００２】
従来より、エレキギター等の電気弦楽器においては、弦の振動を電気信号として取り出し可能なピックアップ装置が利用されている。かかるピックアップ装置を電気弦楽器のボディに装着する構造としては、ねじを用いてピックアップ装置を固定し、当該ピックアップ装置のコイル端を半田付けにより結線したものが一般的である。また、ピックアップ装置の他の装着構造として、例えば、特許文献１及び２に開示されたものが知られている。
【０００３】
特許文献１では、ピックアップがスライドプレートに取り付けられてピックアップユニットを形成しており、ピックアップの配線は、スライドプレートに貼着された導電板に接続されている。一方、同文献の電気弦楽器のボディには、ピックアップユニットを装着するための凹部を形成され、この凹部の内面側に、スライドプレートと嵌合して摺動可能な溝が設けられている。この溝内には、前記導電板に圧接して通電可能な舌状の接続端子が設けられている。また、前記ボディは、二分割構造として開閉可能に設けられており、締め金具を介してボディを閉じた状態に維持できるようになっている。
【０００４】
特許文献１において、ピックアップユニットを交換する作業を行う場合、先ず、締め金具を外して二分割のボディを開いた状態とする。次いで、凹部の溝内でスライドプレートをスライドし、装着されていたピックアップユニットを凹部から抜き出す。次に、別のピックアップユニットのスライドプレートを溝内でスライドして挿入し、凹部内にピックアップユニットを装着する。その後、ボディを閉じてから締め金具を操作し、ボディが開かないように固定する。
【０００５】
特許文献２のピックアップは、コイルに接続されるプラグを備え、このプラグをボディに設けられたジャックに差し込むことにより、それらが通電するとともに、ピックアップをボディに装着可能に設けられている。
【先行技術文献】
【特許文献】
【０００６】
【特許文献１】特開２００４−１６３７１７号公報
【特許文献２】米国特許第４８５４２１０号明細書
【特許文献３】米国特許第５９４９０１４号明細書
【発明の概要】
【発明が解決しようとする課題】
【０００７】
しかしながら、特許文献１にあっては、前述のように、ピックアップユニットを交換する作業が面倒で大きな負担が強いられる、という不都合がある。また、同文献では、ピックアップユニットのスライド操作により導電板と接続端子とが接触するので、当該接触の精度や接続端子等の耐久性が低下し易くなるばかりでなく、スライド操作のための構造が複雑になり、実際の製品化が困難になる、という不都合も招来する。
【０００８】
更に、特許文献１では凹部内にピックアップユニットを装着し、特許文献２ではプラグをジャックに差し込んでピックアップを装着するので、ピックアップと、ボディや弦との相対位置や角度が固定されて調整できなくなるという不都合もある。
【０００９】
ところで、特許文献３のピックアップ装置は、上下一対のピックアップからなり、各ピックアップは、コイルに巻き付けられる磁石の磁力により上下に連結され、また、下段のピックアップに対し、上段のピックアップだけを着脱して交換し得るようになっている。
ところが、同文献では、下段のピックアップがボディに固定されるので、特許文献１及び２と同様に、ピックアップ装置全体の位置を調整できなくなる他、下段のピックアップのボディへの着脱作業が困難になる、という不都合を生じる。
【００１０】
［発明の目的］
本発明は、このような不都合に基づいて案出されたものであり、その目的は、構造の簡略化、ボディへの装着や交換作業の容易化及び迅速化を図ることができ、位置調整を簡単に行うことができるピックアップ装置及びこれを用いた電気弦楽器を提供することにある。
【課題を解決するための手段】
【００１１】
前記目的を達成するため、本発明は、電気弦楽器のボディに装着可能に設けられるとともに、弦の振動を電気信号に変換するピックアップ装置において、
前記ボディの表面には、所定の電装部品に接続され、且つ、帯磁可能な一対の被着体が設けられ、
前記弦の近傍に設けられた磁石と、当該磁石に巻き付けたコイルと、このコイルの端部に通電可能に接続され、且つ、帯磁可能な一対の磁着体とを備え、
前記一対の磁着体は、前記一対の被着体に磁着且つ通電可能に設けられ、
前記一対の被着体がなす左右幅は前記一対の磁着体がなす左右幅よりも大きいこと、および、前記一対の被着体がなす前後幅は前記一対の磁着体がなす前後幅よりも大きいことの少なくともどちらか一方を特徴とする。
【００１２】
また、本発明は、電気弦楽器のボディに取り付け可能に設けられるとともに、弦の振動を電気信号に変換するピックアップ装置において、
前記ボディの表面には、所定の電装部品に接続され、且つ、帯磁可能な一対の被着体が設けられ、
前記弦の近傍に設けられた２つの磁石と、当該磁石に巻き付けたコイルとを備え、当該コイルの端部が前記２つの磁石に通電可能に接続され、
前記２つの磁石は、前記被着体に磁着及び通電可能に設けられ、
前記一対の被着体がなす左右幅は前記２つの磁石がなす左右幅よりも大きいこと、および、前記一対の被着体がなす前後幅は前記２つの磁石がなす前後幅よりも大きいことの少なくともどちらか一方を特徴とする。
【００１３】
本発明において、前記被着体は、板状に形成されることが好ましい。
【００１４】
更に、本発明の電気弦楽器は、請求項１、２又は３記載のピックアップ装置と、ボディの表面に設けられて所定の電装部品に接続され、且つ、帯磁可能な被着体とを備える、という構成を採っている。
【発明の効果】
【００１５】
本発明によれば、磁着体や磁石が被着体に磁着及び通電可能となるので、ピックアップ装置に意図的な外力を付与して被着体から引き離すだけで、ピックアップ装置を取り外すことができる。また、ボディにピックアップ装置を装着する場合には、被着体に磁着体や磁石を接触させたり近付けたりするだけでよく、ピックアップ装置の交換を容易且つ素早く行うことが可能となる。これにより、ピックアップ装置の交換を、張弦した状態だけでなく演奏中でも行えるようになり、磁石の大きさやコイルの巻き数等を変えた複数のピックアップを用意することで、演奏をカスタマイズし易くしたり、演奏者の様々なニーズに対応することができる。
更に、板状の被着体の面に沿ってピックアップ装置を変位するだけで通電状態を保ちつつ、ピックアップ装置の位置や角度を調整することが可能となる。これにより、ピックアップ装置の位置等の変化により音質を変えたり、ピックアップ装置を演奏者の好みの位置や角度として使用する等、演奏性を向上させることが可能となる。
しかも、ピックアップ装置を装着するための被着体が板状となるので、構造の簡略化や耐久性の向上を図ることができ、また、磁力により被着体と磁着体等との接触を良好に維持することが可能となる。
【図面の簡単な説明】
【００１６】
【図１】実施形態に係る電気弦楽器の概略正面図。
【図２】図１の要部拡大図。
【図３】図２の分解底面図。
【図４】変形例に係る電気弦楽器の図２と同様の拡大図。
【発明を実施するための形態】
【００１７】
以下、本発明の好ましい実施の形態について図面を参照しながら説明する。
なお、以下の説明において、特に明示しない限り、「左」、「右」は、図１〜図３を基準とし、「上」、「下」は、図３を基準として用いる。また、「前」は、図１中上側、「後」は、同図中下側として用いる。
【００１８】
［第１実施形態］
図１〜図３において、第１実施形態に係る電気弦楽器１０は、左右方向に並設された第１弦１１から第６弦１６の６本の弦１１〜１６を有するエレキギターとされる。電気弦楽器１０は、ボディ２１と、当該ボディ２１に連結されたネック２２と、このネック２２の先端側で糸巻き２３を介して各弦１１〜１６の一端側を支持するヘッド２４と、ボディ２１の表側に配置されて各弦１１〜１６の他端側を支持するブリッジ２６と、ボディ２１の表側に設けられた三基のピックアップ装置２７とを備えて構成されている。
【００１９】
前記ボディ２１の表面における各ピックアップ装置２７の設置位置には、板状の被着体２９が設けられている。具体的には、被着体２９は、ピックアップ装置２７の左右両側における下面側が接触するよう、第１弦１１の右側及び第６弦１６の左側にそれぞれ設けられている。被着体２９は、帯磁可能な金属板等からなり、後述する磁着体より大きい左右幅及び前後幅に形成されている。また、被着体２９は、ピックアップ装置２７に対する金属端子として機能し得るものであり、図示しないリード線、半田等の配線構造を介して、ボリューム端子やジャック端子、プリアンプ回路基板等の電装部品（図示省略）に接続されている。
【００２０】
前記ボディ２１の表面には、ボリューム等のノブ３１の他、セレクター３２が設けられ、このセレクター３２を介して３基のピックアップ装置２７のうち、何れを使用するかを選択操作できるようになっている。
【００２１】
前記各ピックアップ装置２７は、各弦１１〜１６の近傍であって、各弦１１〜１６の直下にそれぞれ位置する軸状の磁石３５と、これら磁石３５を起立した状態で保持するボビン３６と、各磁石３５の外側となるボビン３６の外周面に巻き付けたコイル３７と、ボビン３６を上方から覆う箱状のカバー３９と、ボビン３６の下面側における左右両側に設けられた一対の磁着体４０とをそれぞれ備えている。各ピックアップ装置２７は、各弦１１〜１６の振動を電磁誘導として検出し、電気信号に変換して出力可能に設けられている。磁石３５は、永久磁石により構成する他、ボビン３６の下に磁石を貼って磁力を持たせたものでもよい。ボビン３６は、本実施形態では、ＡＢＳ樹脂、バルカナイズドファイバー等により形成され、カバー３９は、透明なアクリル等により形成される。なお、必要に応じてカバー３９を用いることなくピックアップ装置２７を利用してもよい。
【００２２】
前記各磁着体４０は、永久磁石等の帯磁可能な素材からなる板状体により形成され、ボビン３６の下面に接着剤或いは両面テープにより接着されている。従って、磁着体４０は、前記被着体２９に磁着可能となり、これらを面接触して磁着することでピックアップ装置２７をボディ２１に装着でき、且つ、ボディ２１に対してピックアップ装置２７を位置決め可能となる。一方、この状態から、意図的な外力によってピックアップ装置２７をボディ２１から引き離すことで、磁着体４０と被着体２９との磁着を解除してピックアップ装置２７を取り外すことが可能となる。また、磁着体４０が被着体２９に磁着した状態を維持しながら、意図的な外力を加えることでピックアップ装置２７を前後方向及び左右方向にスライドするように変位したり、正面視で回転する方向に向きを変えたりすることも可能となる。
【００２３】
更に、各磁着体４０は、アルニコ磁石（アルミ、ニッケル、コバルトの合金で作った磁石）やサマリウムコバルト磁石等の導電性の高いものにより構成されている。また、各磁着体４０は、前記コイル３７の端部３７Ａに半田等を介して通電可能に接続され、端子として機能し得るようになっている。従って、磁着体４０を被着体２９に接触して磁着するだけで、それらの間で通電可能となり、ひいては、ピックアップ装置２７の装着と同時に当該ピックアップ装置２７と前記電装部品との結線を行うことができる。
【００２４】
従って、このような実施形態によれば、被着体２９と磁着体４０との簡単な構成により、ボディ２１からピックアップ装置２７を容易且つ素早く着脱でき、且つ、装着と同時に被着体２９及び磁着体４０が通電可能となる。これにより、異なる音色の他のピックアップ装置２７を準備することで、演奏中であっても、ピックアップ装置２７を無理なく簡単に交換でき、演奏の自由度を高めることができる。また、被着体２９及び磁着体４０の接触状態を保ちながら、ピックアップ装置２７を弦１１〜１６の延出方向に位置調整したり、当該延出方向に対して斜めにピックアップ装置２７を配置することができる。これにより、ピックアップ装置２７の結線を維持しつつ、その位置等の変化により音質や音量を変えることができ、これによっても、演奏の自由度アップを図ることが可能となる。更に、被着体２９と磁着体４０との接触を磁力により維持できるので、それらの接触精度や耐久性を向上することが可能となる。
【００２５】
［第２実施形態］
次に、本発明の第２実施形態を、図４を用いて説明する。なお、以下の説明において、前記第１実施形態と同一若しくは同等の構成部分については必要に応じて同一符号を用いるものとし、説明を省略若しくは簡略にする。
【００２６】
第２実施形態のピックアップ装置２７では、コイル３７の一端部３７Ａを第１弦１１の直下に位置する磁石３５に通電可能に接続し、コイル３７の他端部３７Ａを第６弦１６の直下に位置する磁石３５に通電可能に接続している。各磁石３５は、第１実施形態の磁着体４０と同様の永久磁石からなる。また、被着体２９は、第１弦１１及び第６弦１６の直下を含む領域にそれぞれ設けられている。これにより、コイル３７に接続された磁石３５と被着体２９とが磁着することで、ピックアップ装置２７をボディ２１に装着でき、これと同時に、コイル３７に接続された磁石３５と被着体２９とが通電可能となってピックアップ装置２７の結線を行うことができる。
【００２７】
このような第２実施形態によれば、第１実施形態の磁着体４０を省略でき、構成の簡略化をより良く図ることが可能となる。
【００２８】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２９】
例えば、ピックアップ装置２７をボディ２１に装着した状態で、当該ピックアップ装置２７の左右及び前後方向の位置ずれを規制可能な位置決め手段を設けてもよく、当該位置決め手段として、被着体２９及び磁着体４０の少なくとも一方に形成されるガイド溝が例示できる。これによれば、各弦１１〜１６とピックアップ装置２７との相対位置が不用意にずれることを防止でき、出力の安定化を図ることが可能となる。
【００３０】
また、被着体２９を永久磁石等の磁力を発揮する素材により構成し、磁着体４０を金属板等の磁力を発揮しないものの帯磁可能な素材により構成することで、被着体２９及び磁着体４０を磁着するようにしてもよい。
【００３１】
更に、磁石３５は、図示構成例に限られず、各弦１１〜１６の直下を跨るように位置する単一のバータイプにものとしてもよい。
【００３２】
また、本発明は、エレキベース等の他の電気弦楽器にも適用することが可能である。
【符号の説明】
【００３３】
１０・・・電気弦楽器、１１〜１６・・・第１〜６弦、２１・・・ボディ、２７・・・ピックアップ装置、２９・・・被着体、３５・・・磁石、３７・・・コイル、４０・・・磁着体
【図１】
0005834424.tif 000002
【図２】
0005834424.tif 000003
【図３】
0005834424.tif 000004
【図４】
0005834424.tif 000005